(57)【特許請求の範囲】
【請求項１】
手書き入力された筆記文字を入力するための入力手段と、
入力された筆記文字列に対して文字認識を行う文字列認識手段と、
筆記文字列の筆記方向を識別するための筆記方向識別手段と、
文字列認識手段で認識された筆記文字列に対し、筆記方向識別手段の識別した筆記方向に基づいて、かな漢字変換処理を実行するか否かを判定して、かな漢字変換処理を行うかな漢字変換手段と、
文字列認識手段で認識された筆記文字列またはかな漢字変換手段で変換された筆記文字列のいずれか一方を表示する表示手段とを備えた手書き入力かな漢字変換処理装置。
【請求項２】
手書き入力された筆記文字を入力するための入力手段と、
入力された筆記文字列に対して文字認識を行う文字列認識手段と、
筆記文字列の筆記方向を識別するための筆記方向識別手段と、
使用者が横書き文書か縦書き文書かを設定する文書スタイルを記憶するための第１記憶手段と、
文字列認識手段で認識された筆記文字列に対し、第１記憶手段に記憶されている文書スタイルと筆記方向識別手段の識別した筆記方向とに基づいて、かな漢字変換処理を実行するか否かを判定して、かな漢字変換処理を行うかな漢字変換手段と、
文字列認識手段で認識された筆記文字列またはかな漢字変換手段で変換された筆記文字列のいずれか一方を表示する表示手段とを備えた手書き入力かな漢字変換処理装置。
【請求項３】
手書き入力された筆記文字を入力するための入力手段と、
入力された筆記文字列に対して文字認識を行う文字列認識手段と、
筆記文字列の筆記方向を識別するための筆記方向識別手段と、
使用者が横書き文書か縦書き文書かを設定する文書スタイルを記憶するための第１記憶手段と、
使用者が設定する筆記方向を記憶するための第２記憶手段と、
文字列認識手段で認識された筆記文字列に対し、第１記憶手段に記憶されている文書スタイルと第２記憶手段に記憶されている筆記方向とに基づいて、かな漢字変換処理を実行するか否かを判定して、かな漢字変換処理を行うかな漢字変換手段と、
文字列認識手段で認識された筆記文字列またはかな漢字変換手段で変換された筆記文字列のいずれか一方を表示する表示手段とを備えた手書き入力かな漢字変換処理装置。
【請求項４】
手書き入力された筆記文字を入力するための入力手段と、
入力された筆記文字列を文字単位に切り出し文字認識を行う文字認識手段と、
筆記文字列の筆記方向を識別するための筆記方向識別手段と、
文字認識手段で認識された筆記文字列に対し、筆記方向識別手段の識別した筆記方向に基づいて、かな漢字変換処理を実行するか否かを判定して、かな漢字変換処理を行うかな漢字変換手段と、
文字認識手段で認識された筆記文字列またはかな漢字変換手段で変換された筆記文字列のいずれか一方を表示する表示手段とを備えた手書き入力かな漢字変換処理装置。
【請求項５】
手書き入力された筆記文字を入力するための入力手段と、
入力された筆記文字列を文字単位に切り出し文字認識を行う文字認識手段と、
筆記文字列の筆記方向を識別するための筆記方向識別手段と、
使用者が横書き文書か縦書き文書かを設定する文書スタイルを記憶するための第１記憶手段と、
文字認識手段で認識された筆記文字列に対し、第１記憶手段に記憶されている文書スタイルと筆記方向識別手段の識別した筆記方向とに基づいて、かな漢字変換処理を実行するか否かを判定して、かな漢字変換処理を行うかな漢字変換手段と、
文字認識手段で認識された筆記文字列またはかな漢字変換手段で変換された筆記文字列のいずれか一方を表示する表示手段とを備えた手書き入力かな漢字変換処理装置。
【請求項６】
請求項１または請求項２に記載の手書き入力かな漢字変換処理装置において、
前記筆記方向識別手段は、筆記文字列の縦方向の長さ及び横方向の長さに基づいて、筆記方向を識別する手書き入力かな漢字変換処理装置。
【請求項７】
請求項４に記載の手書き入力かな漢字変換処理装置において、
筆記方向識別手段は、筆記文字列を構成する筆記文字単位に横方向の長さ及び縦方向の長さを測定し、その測定の合計及び最大の長さに基づいて筆記方向を識別する手書き入力かな漢字変換処理装置。
【請求項８】
手書き入力された筆記文字を入力するための入力処理と、
入力された筆記文字列に対して文字認識を行う文字列認識処理と、
筆記文字列の筆記方向を識別するための筆記方向識別処理と、
文字列認識処理で認識された筆記文字列に対し、筆記方向識別処理の識別した筆記方向に基づいて、かな漢字変換処理を実行するか否かを判定して、かな漢字変換処理を行うかな漢字変換処理と、
文字列認識処理で認識された筆記文字列またはかな漢字変換処理で変換された筆記文字列のいずれか一方を表示する表示処理とを備えた手書き入力かな漢字変換処理方法。
【請求項９】
手書き入力された筆記文字を入力するための入力処理と、
入力された筆記文字列に対して文字認識を行う文字列認識処理と、
筆記文字列の筆記方向を識別するための筆記方向識別処理と、
使用者が横書き文書か縦書き文書かを設定する文書スタイルを記憶するための第１記憶処理と、
文字列認識処理で認識された筆記文字列に対し、第１記憶処理に記憶されている文書スタイルと筆記方向識別処理の識別した筆記方向とに基づいて、かな漢字変換処理を実行するか否かを判定して、かな漢字変換処理を行うかな漢字変換処理と、
文字列認識処理で認識された筆記文字列またはかな漢字変換処理で変換された筆記文字列のいずれか一方を表示する表示処理とを備えた手書き入力かな漢字変換処理方法。
【請求項１０】
手書き入力された筆記文字を入力するための入力処理と、
入力された筆記文字列に対して文字認識を行う文字列認識処理と、
筆記文字列の筆記方向を識別するための筆記方向識別処理と、
使用者が横書き文書か縦書き文書かを設定する文書スタイルを記憶するための第１記憶処理と、
使用者が設定する筆記方向を記憶するための第２記憶処理と、
文字列認識処理で認識された筆記文字列に対し、第１記憶処理に記憶されている文書スタイルと第２記憶処理に記憶されている筆記方向とに基づいて、かな漢字変換処理を実行するか否かを判定して、かな漢字変換処理を行うかな漢字変換処理と、
文字列認識処理で認識された筆記文字列またはかな漢字変換処理で変換された筆記文字列のいずれか一方を表示する表示処理とを備えた手書き入力かな漢字変換処理方法。
【請求項１１】
手書き入力された筆記文字を入力するための入力処理と、
入力された筆記文字列を文字単位に切り出し文字認識を行う文字認識処理と、
筆記文字列の筆記方向を識別するための筆記方向識別処理と、
文字認識処理で認識された筆記文字列に対し、筆記方向識別処理の識別した筆記方向に基づいて、かな漢字変換処理を実行するか否かを判定して、かな漢字変換処理を行うかな漢字変換処理と、
文字認識処理で認識された筆記文字列またはかな漢字変換処理で変換された筆記文字列のいずれか一方を表示する表示処理とを備えた手書き入力かな漢字変換処理方法。
【請求項１２】
手書き入力された筆記文字を入力するための入力処理と、
入力された筆記文字列を文字単位に切り出し文字認識を行う文字認識処理と、筆記文字列の筆記方向を識別するための筆記方向識別処理と、
使用者が横書き文書か縦書き文書かを設定する文書スタイルを記憶するための第１記憶処理と、
文字認識処理で認識された筆記文字列に対し、第１記憶処理に記憶されている文書スタイルと筆記方向識別処理の識別した筆記方向とに基づいて、かな漢字変換処理を実行するか否かを判定して、かな漢字変換処理を行うかな漢字変換処理と、
文字認識処理で認識された筆記文字列またはかな漢字変換処理で変換された筆記文字列のいずれか一方を表示する表示処理とを備えた手書き入力かな漢字変換処理方法。
【請求項１３】
請求項８または請求項９に記載の手書き入力かな漢字変換処理方法において、
前記筆記方向識別処理は、筆記文字列の縦方向の長さ及び横方向の長さに基づいて、筆記方向を識別する手書き入力かな漢字変換処理方法。
【請求項１４】
請求項１１に記載の手書き入力かな漢字変換処理方法において、  筆記方向識別処理は、筆記文字列を構成する筆記文字単位に横方向の長さび縦方向の長さを測定し、その測定の合計及び最大の長さに基づいて筆記方向を識別する手書き入力かな漢字変換処理方法。
【発明の詳細な説明】
【０００１】
【発明の属する技術分野】
本発明は、手書き入力による筆跡をかな漢字変換することができる手書き入力かな漢字変換処理装置、手書き入力かな漢字変換処理方法、記録媒体に関するものである。
【０００２】
【従来の技術】
近年、情報機器の入力方式として手書き入力が注目されており、手書き入力を用いた各種情報機器（パーソナルコンピュータ、携帯型情報端末、ワードプロセッサなど）の開発が進められている。
【０００３】
これらの情報機器では、一般に、手書き入力された各文字に対して文字認識を行うことにより、筆記文字列の文字認識を行うことで各文字のコードデータ（文字コード）を生成し、その文字コードを情報機器の内部に取り込んで各種データ処理を行っている。
【０００４】
【発明が解決しようとする課題】
ところで、漢字の入力の際に、直接漢字を筆記入力せず、「ひらがな」を筆記入力しておき、その「ひらがな」をかな漢字変換させたい場合がある。例えば、漢字がわからない場合や、電話をかけながら急いで文書を入力するときのように、手書き入力をメモ書きとして利用する場合等である。
【０００５】
この場合、一般的には図２１に示すように、使用者が入力ペン１０２を用いて入力したい漢字の読みを「ひらがな」でタブレット１０１に筆記入力する。すると、情報機器は、入力された「ひらがな」を文字認識して、その筆記内容を画面上に表示する（同図（ａ）参照）。使用者は、先に筆記入力した「ひらがな」の文字と、情報機器によって文字認識されて表示された「ひらがな」の文字とが同じか否かの判断を行う。続いて、使用者は、筆記入力した「ひらがな」の文字が正しく文字認識されている場合、その筆記入力した「ひらがな」の文字をかな漢字変換するため、タブレット１０１上に配置された「変換」メニュー１０３を入力ペン１０２で指示する（同図（ｂ）参照）。すると、情報機器によりかな漢字変換処理が行われ、所望の漢字が画面上に表示される（同図（ｃ）参照）。このかな漢字変換方法では、かな漢字変換を行う度に「変換」メニュー１０３を入力ペン１０２で指示する必要があり手間がかかる。
【０００６】
また、特開平１−１８７６６７号公報（Ｇ０６Ｆ  １５／２０  １５／０２，Ｇ０６Ｋ  ９／００）に記載の発明には、入力ペンで筆記入力した筆跡を画面上に表示させ、入力ペンで「漢字」メニューを指示すると、文字認識されるとともに、かな漢字変換処理が行われて画面上に漢字を表示する技術が開示されている。しかし、この技術も、入力ペンで「ひらがな」を入力した後に、入力ペンで「漢字」キーを指示しなければならず、前述と同様に手間を要していた。
【０００７】
さらに、特開平４−１９５６７０号公報（Ｇ０６Ｆ  １５／２０，Ｇ０６Ｋ  ９／６２）に記載の発明では、タブレット上にかな漢字変換を行うための入力領域と、かな漢字変換を行わない入力領域とを設けた技術が開示されている。同公報によれば、かな漢字変換を行うための入力領域に筆記入力された「ひらがな」のみを文字認識した後、かな漢字変換を行う。そして、かな漢字変換を行わない入力領域に筆記入力された「ひらがな」は、文字認識するだけでかな漢字変換を行わない。しかしながら、この技術では、筆記入力する際に、かな漢字変換をするための入力領域とかな漢字変換を行わない入力領域とに分けて筆記入力しなければならず、手書き入力をメモ書きとして利用する場合等では手間でかかる。また、特に携帯型の情報端末に同公報の発明を応用した場合には、タブレット上に設けられた筆記入力するための入力領域が小さいため、筆記入力に注意が必要で煩わしかった。
【０００８】
本発明は、上記問題点を解決するためになされたもので、下記［１］〜［３］の目的を有するものである。
［１］簡単に入力することが可能で操作性に優れた手書き入力かな漢字変換処理装置を提供することにある。
【０００９】
［２］簡単に入力することが可能で操作性に優れた手書き入力かな漢字変換処理方法を提供することにある。
［３］上記［２］に記載の手書き入力かな漢字変換処理方法をコンピュータに実行させるためのプログラムが記録された記録媒体を提供することにある。
【００１０】
【課題を解決するための手段】
請求項１に記載の発明においては、手書き入力された筆記文字列の筆記方向が予め定められた方向のときに当該筆記文字列をかな漢字変換することをその要旨とする。
【００１１】
請求項２に記載の発明においては、手書き入力された筆記文字を入力するための入力手段と、入力された筆記文字列に対して文字認識を行う文字列認識手段と、筆記文字列の筆記方向を識別するための筆記方向識別手段と、文字列認識手段で認識された筆記文字列に対し、筆記方向識別手段の識別した筆記方向に基づいて、かな漢字変換を行うかな漢字変換手段と、文字列認識手段で認識された筆記文字列またはかな漢字変換手段で変換された筆記文字列のいずれか一方を表示する表示手段とを備えたことをその要旨とする。
【００１２】
請求項３に記載の発明においては、手書き入力された筆記文字を入力するための入力手段と、入力された筆記文字列に対して文字認識を行う文字列認識手段と、筆記文字列の筆記方向を識別するための筆記方向識別手段と、使用者が横書き文書か縦書き文書かを設定する文書スタイルを記憶するための第１記憶手段と、文字列認識手段で認識された筆記文字列に対し、第１記憶手段に記憶されている文書スタイルと筆記方向識別手段の識別した筆記方向とに基づいて、かな漢字変換を行うかな漢字変換手段と、文字列認識手段で認識された筆記文字列またはかな漢字変換手段で変換された筆記文字列のいずれか一方を表示する表示手段とを備えたことをその要旨とする。
【００１３】
請求項４に記載の発明においては、手書き入力された筆記文字を入力するための入力手段と、入力された筆記文字列に対して文字認識を行う文字列認識手段と、筆記文字列の筆記方向を識別するための筆記方向識別手段と、使用者が横書き文書か縦書き文書かを設定する文書スタイルを記憶するための第１記憶手段と、使用者が設定する筆記方向を記憶するための第２記憶手段と、文字列認識手段で認識された筆記文字列に対し、第１記憶手段に記憶されている文書スタイルと第２記憶手段に記憶されている筆記方向とに基づいて、かな漢字変換を行うかな漢字変換手段と、文字列認識手段で認識された筆記文字列またはかな漢字変換手段で変換された筆記文字列のいずれか一方を表示する表示手段とを備えたことをその要旨とする。
【００１４】
請求項５に記載の発明においては、手書き入力された筆記文字を入力するための入力手段と、入力された筆記文字列を文字単位に切り出し文字認識を行う文字認識手段と、筆記文字列の筆記方向を識別するための筆記方向識別手段と、文字認識手段で認識された筆記文字列に対し、筆記方向識別手段の識別した筆記方向に基づいて、かな漢字変換を行うかな漢字変換手段と、文字認識手段で認識された筆記文字列またはかな漢字変換手段で変換された筆記文字列のいずれか一方を表示する表示手段とを備えたことをその要旨とする。
【００１５】
請求項６に記載の発明においては、手書き入力された筆記文字を入力するための入力手段と、入力された筆記文字列を文字単位に切り出し文字認識を行う文字認識手段と、筆記文字列の筆記方向を識別するための筆記方向識別手段と、使用者が横書き文書か縦書き文書かを設定する文書スタイルを記憶するための第１記憶手段と、文字認識手段で認識された筆記文字列に対し、第１記憶手段に記憶されている文書スタイルと筆記方向識別手段の識別した筆記方向とに基づいて、かな漢字変換を行うかな漢字変換手段と、文字認識手段で認識された筆記文字列またはかな漢字変換手段で変換された筆記文字列のいずれか一方を表示する表示手段とを備えたことをその要旨とする。
【００１７】
請求項６に記載の発明においては、請求項１または請求項２に記載の手書き入力かな漢字変換処理装置において、前記筆記方向識別手段は、筆記文字列の縦方向の長さ及び横方向の長さに基づいて、筆記方向を識別することをその要旨とする。
【００２２】
請求項７に記載の発明においては、請求項４に記載の手書き入力かな漢字変換処理装置において、筆記方向識別手段は、筆記文字列を構成する筆記文字単位に横方向の長さ及び縦方向の長さを測定し、その測定の合計及び最大の長さに基づいて筆記方向を識別することをその要旨とする。
【００２４】
請求項８に記載の発明においては、手書き入力された筆記文字を入力するための入力処理と、入力された筆記文字列に対して文字認識を行う文字列認識処理と、筆記文字列の筆記方向を識別するための筆記方向識別処理と、文字列認識処理で認識された筆記文字列に対し、筆記方向識別処理の識別した筆記方向に基づいて、かな漢字変換処理を実行するか否かを判定して、かな漢字変換処理を行うかな漢字変換処理と、文字列認識処理で認識された筆記文字列またはかな漢字変換処理で変換された筆記文字列のいずれか一方を表示する表示処理とを備えたことをその要旨とする。
【００２５】
請求項９に記載の発明においては、手書き入力された筆記文字を入力するための入力処理と、入力された筆記文字列に対して文字認識を行う文字列認識処理と、筆記文字列の筆記方向を識別するための筆記方向識別処理と、使用者が横書き文書か縦書き文書かを設定する文書スタイルを記憶するための第１記憶処理と、文字列認識処理で認識された筆記文字列に対し、第１記憶処理に記憶されている文書スタイルと筆記方向識別処理の識別した筆記方向とに基づいて、かな漢字変換処理を実行するか否かを判定して、かな漢字変換処理を行うかな漢字変換処理と、文字列認識処理で認識された筆記文字列またはかな漢字変換処理で変換された筆記文字列のいずれか一方を表示する表示処理とを備えたことをその要旨とする。
【００２６】
請求項１０に記載の発明においては、手書き入力された筆記文字を入力するための入力処理と、入力された筆記文字列に対して文字認識を行う文字列認識処理と、筆記文字列の筆記方向を識別するための筆記方向識別処理と、使用者が横書き文書か縦書き文書かを設定する文書スタイルを記憶するための第１記憶処理と、使用者が設定する筆記方向を記憶するための第２記憶処理と、文字列認識処理で認識された筆記文字列に対し、第１記憶処理に記憶されている文書スタイルと第２記憶処理に記憶されている筆記方向とに基づいて、かな漢字変換処理を実行するか否かを判定して、かな漢字変換処理を行うかな漢字変換処理と、文字列認識処理で認識された筆記文字列またはかな漢字変換処理で変換された筆記文字列のいずれか一方を表示する表示処理とを備えたことをその要旨とする。
【００２７】
請求項１１に記載の発明においては、手書き入力された筆記文字を入力するための入力処理と、入力された筆記文字列を文字単位に切り出し文字認識を行う文字認識処理と、筆記文字列の筆記方向を識別するための筆記方向識別処理と、文字認識処理で認識された筆記文字列に対し、筆記方向識別処理の識別した筆記方向に基づいて、かな漢字変換処理を実行するか否かを判定して、かな漢字変換処理を行うかな漢字変換処理と、文字認識処理で認識された筆記文字列またはかな漢字変換処理で変換された筆記文字列のいずれか一方を表示する表示処理とを備えたことをその要旨とする。
【００２８】
請求項１２に記載の発明においては、手書き入力された筆記文字を入力するための入力処理と、入力された筆記文字列を文字単位に切り出し文字認識を行う文字認識処理と、筆記文字列の筆記方向を識別するための筆記方向識別処理と、使用者が横書き文書か縦書き文書かを設定する文書スタイルを記憶するための第１記憶処理と、文字認識処理で認識された筆記文字列に対し、第１記憶処理に記憶されている文書スタイルと筆記方向識別処理の識別した筆記方向とに基づいて、かな漢字変換処理を実行するか否かを判定して、かな漢字変換処理を行うかな漢字変換処理と、文字認識処理で認識された筆記文字列またはかな漢字変換処理で変換された筆記文字列のいずれか一方を表示する表示処理とを備えたことをその要旨とする。
【００３０】
請求項１３に記載の発明においては、請求項８または請求項９に記載の手書き入力かな漢字変換処理方法において、前記筆記方向識別処理は、筆記文字列の縦方向の長さ及び横方向の長さに基づいて、筆記方向を識別することをその要旨とする。
【００３５】
請求項１４に記載の発明においては、請求項１１に記載の手書き入力かな漢字変換処理方法において、筆記方向識別処理は、筆記文字列を構成する筆記文字単位に横方向の長さ及び縦方向の長さを測定し、その測定の合計及び最大の長さに基づいて筆記方向を識別することをその要旨とする。
【００４９】
なお、以下に述べる発明の実施の形態において、特許請求の範囲及び課題を解決するための手段に記載の入力手段及び表示手段は入力表示装置２から構成され、文字列認識手段は文字列認識部４から構成され、筆記方向認識手段は筆記方向認識部５から構成され、かな漢字変換手段はかな漢字変換部６から構成され、第１記憶手段はメモリ９から構成され、第２記憶手段はメモリ１０から構成され、文字認識手段は文字認識部５０から構成されている。
【００５０】
【発明の実施の形態】
（第１の実施形態）
以下、本発明を具体化した第１の実施形態について、図面を用いて説明する。
【００５１】
この第１の実施形態は、文書が横書き（以下、「横書き文書」という）の場合において、筆記方向が縦書きの場合（以下、「縦書き入力」という）はかな漢字変換を行い、筆記方向が横書きの場合（以下、「横書き入力」という）はかな漢字変換を行わないように予め設定が固定されている。なお、この第１の実施形態では、一度に筆記入力可能なのは、単語または助詞であって、文節を筆記入力することはできない。そして、単語単位または助詞単位で筆記入力することにより、所望の文書を作成するようになっている。
【００５２】
図１に示すように、本実施形態の手書き入力かな漢字変換処理装置１は、入力表示装置２、主制御部３、文字列認識部４、筆記方向識別部５、かな漢字変換部６、メモリ７、記録媒体８から構成されている。
【００５３】
入力表示装置２は、タブレット一体型ＬＣＤ（Ｌｉｑｕｉｄ  Ｃｒｙｓｔａｌ  Ｄｉｓｐｌａｙ）から成り、入力装置としてのタブレット２ａおよび入力ペン２ｂと、表示装置としてのＬＣＤ２ｃとから構成されている。
【００５４】
タブレット２ａとＬＣＤ２ｃとは積層一体化されており、タブレット２ａの入力画面上の座標と、ＬＣＤ２ｃの表示画面上の座標とは１対１で対応している。なお、タブレット２ａには種々の方式（抵抗感圧方式、電磁誘導方式、静電結合方式、圧電効果方式、ホログラム方式など）があるが、いずれの方式を採用してもよい。
【００５５】
タブレット２ａを用いて手書き入力を行うには、入力ペン２ｂを用いて、タブレット２ａの入力画面上の入力領域Ａに文字を筆記する。そのタブレット２ａを介して手書き入力された文字は、ＬＣＤ２ｃの表示画面上に表示される。
【００５６】
主制御部３は、マイクロコンピュータから構成され、手書き入力かな漢字変換処理装置１の各部２，４〜８を制御する。
文字列認識部４は、入力ペン２ｂでタブレット２ａに筆記入力された筆跡を座標データとして読み込み、その座標データから成る各文字に対して文字認識を行うことにより、筆記文字列の文字認識を行う。そして、文字列認識部４は、認識された筆記文字列を切出し、筆記文字列の縦方向の長さ及び横方向の長さを測定する。なお、文字を切出す技術については、「運筆データからの字の切出し」（電子情報通信学会論文誌  Ｄ−２  Ｖｏｌ．７３，Ｎｏ．１０，Ｐ．１７９６−１７９８，１９９０）や、特開平７−１８２４４９号公報（Ｇ０６Ｋ  ９／３２，９／３４，９／４２，９／６２）などに詳述されている。
【００５７】
筆記方向識別部５は、タブレット２ａを介して手書き入力された筆記文字列に対して、「横書き入力」「縦書き入力」「１文字」のいずれであるかを識別する。
【００５８】
かな漢字変換部６は、前記筆記方向識別部５で識別された筆記方向に基づいて、かな漢字変換を行うことに決定した筆記文字列をかな漢字変換する。
メモリ７は、手書き入力かな漢字変換処理装置１で作成された文書内容を記憶する。
【００５９】
記憶媒体８には、手書き入力かな漢字変換処理装置１の制御を行うためのプログラムが記憶されている。
次に、手書き入力かな漢字変換処理装置１で行われる処理について、図面を用いて説明する。
【００６０】
まず、文字列認識部４で行われる処理（筆記文字列を文字認識し、認識された筆記文字列の縦方向の長さ及び横方向の長さを測定する処理）及び筆記方向識別部５で行われる処理（「横書き入力」「縦書き入力」「１文字」のいずれであるかを識別する処理）について、図２に示す説明図及び図３に示すフローチャートを用いて説明する。なお、以下の処理は、主制御部３が記憶媒体８に記憶されているプログラムに基づいて行っている。
【００６１】
図２（ａ）に示すように、入力ペン２ｂでタブレット２ａに、例えば、「横書き入力」で「かいぎ」と入力した筆記文字列において、図２（ｂ）に示すように、筆記文字列の縦方向の長さを「ＹＬ」、筆記文字列の横方向の長さを「ＸＬ」とする。
【００６２】
図３に示すように、Ｓ１において、文字列認識部４は、図２（ｂ）に示す筆記文字列「かいぎ」の例において、筆記入力された筆跡を座標データとして読み込み、その座標データから成る各文字に対して文字認識を行うことにより、筆記文字列の文字認識を行う。そして、文字列認識部４は、認識された筆記文字列を切出し、筆記文字列の縦方向の長さ及び横方向の長さを測定する。続いて、文字列認識部４は、筆記文字列の縦方向の長さ及び横方向の長さの測定結果を筆記方向識別部５に転送する。そして、Ｓ２に移行する。
【００６３】
Ｓ２において、筆記方向識別部５は、筆記文字列に対して、横方向の文字長さＸＬに対する縦方向の文字長さＹＬの比Ｒ（＝ＹＬ／ＸＬ）を算出する。そして、Ｓ３に移行する。
【００６４】
Ｓ３において、筆記方向識別部５は、比Ｒが２を超えているか否かを判断する。そして、Ｓ４に移行する。
Ｓ４において、筆記方向識別部５は、比Ｒが２を超えている場合は、筆記方向が縦書きであると判断する。そして、Ｓ５に移行する。
【００６５】
Ｓ５において、筆記方向識別部５は、比Ｒが２を超えていない場合は、比Ｒが１／２以上、かつ２以下であるか否かを判断する。そして、Ｓ６に移行する。
Ｓ６において、筆記方向識別部５は、比Ｒが１／２以上、かつ２以下である場合は、筆記文字列が「１文字」であると判断する。そして、Ｓ７に移行する。
【００６６】
Ｓ７において、筆記方向識別部５は、比Ｒが１／２未満の場合は、「横書き入力」であると判断する。なお、この図２（ａ）に示す筆記文字列「かいぎ」の例では、比Ｒが１／２未満であるので、筆記方向識別部５は、「横書き入力」であると判断する。
【００６７】
次に、第１の実施形態における手書き入力かな漢字変換処理装置１の動作について、図４（ａ），（ｂ）に示す説明図及び図５に示すフローチャートを用いて説明する。なお、以下の処理は、主制御部３が記憶媒体８に記憶されているプログラムに基づいて、手書き入力かな漢字変換処理装置１全体の制御を行っている。また、この第１の実施形態において、手書き入力かな漢字変換処理装置１によって作成される文書は、「横書き文書」に固定されているものである。さらに、［１−１］かな漢字変換を行う場合と、［１−２］かな漢字変換を行わない場合とに分けて説明を行う。
【００６８】
［１−１］かな漢字変換を行う場合
まず、かな漢字変換を行う場合について、図４（ａ）に示す説明図及び図５に示すフローチャートを用いて説明する。
【００６９】
図４（ａ）に示すように、使用者が手書き入力かな漢字変換処理装置１を動作させると、ＬＣＤ２ｃの表示画面上に、行毎の罫線が表示される。
図５に示すように、Ｓ１１において、使用者が入力ペン２ｂを用いてタブレット２ａの入力画面上の入力領域Ａにおいて、任意の箇所に「縦書き入力」で、例えば「かいぎ」と手書き入力して、一定時間経過すると、文字列認識部４は、前記図３に示すフローチャートの処理に基づいて、手書き入力が一旦終了したと判断し、入力された筆記文字列の座標データを読み込む。また、主制御部３は、そのタブレット２ａを介して手書き入力された筆記文字列を、ＬＣＤ２ｃの表示画面上にそのまま表示させる。そして、Ｓ１２に移行する。
【００７０】
Ｓ１２において、文字列認識部４は、読み込んだ座標データを文字認識する。そして、文字列認識部４は、文字認識した筆記文字列（以下、認識文字列という）を主制御部３に転送する。そして、Ｓ１３に移行する。
【００７１】
Ｓ１３において、主制御部３は、認識文字列を筆記方向識別部５に転送する。すると、筆記方向識別部５は、前記図３に示すフローチャートの処理に基づいて、「縦書き入力」「横書き入力」「１文字」のいずれであるかを認識して、その情報を主制御部３に転送する。この図４（ａ）に示す例では、「縦書き入力」という情報を主制御部３に転送する。そして、Ｓ１４に移行する。
【００７２】
Ｓ１４において、主制御部３は、筆記方向識別部５から転送されてきた情報が「縦書き入力」か否かを判断する。この図４（ａ）に示す例では、転送されてきた情報が「縦書き入力」であるため、主制御部３は、かな漢字変換を行うと判断して、認識文字列をかな漢字変換部６に転送する。そして、Ｓ１５に移行する。
【００７３】
Ｓ１５において、かな漢字変換部６は、転送されてきた認識文字列をかな漢字変換するとともに、かな漢字変換後の文字列を主制御部３に転送する。そして、Ｓ１６に移行する。
【００７４】
Ｓ１６において、主制御部３は、転送されてきたかな漢字変換後の文字列をＬＣＤ２ｃの表示画面上に表示させる。ただし、カーソルＣで指定された行及び位置に表示されるかな漢字変換後の文字列の大きさは、行の罫線間隔に対応した大きさで表示される。また、カーソルＣで指定された行及び位置にかな漢字変換後の文字列が表示された後に、手書き入力された筆記文字列の筆跡が消去される。
【００７５】
［１−２］かな漢字変換を行わない場合
次に、かな漢字変換を行わない場合について、図４（ｂ）に示す説明図及び図５に示すフローチャートを用いて説明する。
【００７６】
図４（ｂ）に示すように、使用者が手書き入力かな漢字変換処理装置１を動作させると、ＬＣＤ２ｃの表示画面上に、行毎の罫線が表示される。
図５に示すように、Ｓ１１において、使用者が入力ペン２ｂを用いてタブレット２ａの入力画面上の入力領域Ａにおいて、任意の箇所に「横書き入力」で、例えば「かいぎ」と手書き入力して、一定時間経過すると、文字列認識部４は、前記図３に示すフローチャートの処理に基づいて、手書き入力が一旦終了したと判断し、入力された筆記文字列の座標データを読み込む。また、主制御部３は、そのタブレット２ａを介して手書き入力された筆記文字列を、ＬＣＤ２ｃの表示画面上にそのまま表示させる。そして、Ｓ１２に移行する。
【００７７】
Ｓ１２において、文字列認識部４は、読み込んだ座標データを文字認識する。そして、文字列認識部４は、文字認識した筆記文字列（認識文字列）を主制御部３に転送する。そして、Ｓ１３に移行する。
【００７８】
Ｓ１３において、主制御部３は、認識文字列を筆記方向識別部５に転送する。すると、筆記方向識別部５は、前記図３に示すフローチャートの処理に基づいて、「縦書き入力」「横書き入力」「１文字」のいずれかであるかを認識して、その情報を主制御部３に転送する。この図４（ｂ）に示す例では、「横書き入力」という情報を主制御部３に転送する。そして、Ｓ１４に移行する。
【００７９】
Ｓ１４において、主制御部３は、筆記方向識別部５から転送されてきた情報が「縦書き入力」か否かを判断する。この図４（ｂ）に示す例では、転送されてきた情報が「横書き入力」であるため、主制御部３は、かな漢字変換を行わないと判断する。そして、Ｓ１６に移行する。
【００８０】
Ｓ１６において、主制御部３は、認識文字列をＬＣＤ２ｃの表示画面上に表示させる。ただし、カーソルＣで指定された行及び位置に表示される認識文字列の大きさは、行の罫線間隔に対応した大きさで表示される。また、カーソルＣで指定された行及び位置に認識文字列が表示された後に、手書き入力された筆記文字列の筆跡が消去される。
【００８１】
そして、使用者が、［１−１］かな漢字変換を行う場合及び［１−２］かな漢字変換を行わない場合の組み合わせを用いて、所望の単語または助詞を筆記入力することにより、所望の文書が作成される。文書の作成が終了すると、主制御部３は、使用者の入力ペン２ｂの指示によりメモリ７にその文書内容を転送する。すると、メモリ７は、その文書内容を記憶する。
【００８２】
以上、詳述したように第１の実施形態においては、次のような作用・効果を得ることができる。
〔１〕使用者が、かな漢字変換を行いたい場合は、入力ペン２ｂを用いて、タブレット２ａの入力画面上の入力領域Ａに対して、「縦書き入力」で「ひらがな」を入力し、かな漢字変換を行わない場合は、「横書き入力」または「１文字」のみで「ひらがな」を入力する。すると、ＬＣＤ２ｃの表示画面上に、かな漢字変換された文字列又はかな漢字変換されない文字列（認識文字列）が表示される。このように、単に筆記方向を変えるだけで、自由にかな漢字変換を行うことができる。従って、かな漢字変換に手間がかかることはなく、簡単に手書き入力することができる。
【００８３】
〔２〕手書き入力した筆記文字列をかな漢字変換を行うときに、特開平１−１８７６６７号公報に記載の発明のように、使用者が入力ペンを用いて「漢字」キーを操作する必要がない。このため、筆記入力の際に手間がかからない。
【００８４】
〔３〕タブレット２ａを用いて手書き入力を行うには、入力ペン２ｂを用いてタブレット２ａの入力画面上の入力領域Ａにおける任意の箇所に文字を筆記すれば良い。つまり、タブレット２ａの入力画面上の入力領域Ａのどの位置に文字を筆記しても、上記〔１〕のように、かな漢字変換を自由に行うことができる。
【００８５】
従って、電話をかけながら急いで文書を入力するときのように手書き入力をメモ書きとして利用する場合であっても、タブレット２ａの入力画面上の入力領域Ａに対して、手間をかけずに簡単に筆記入力することができる。
【００８６】
そのため、特に携帯型の情報端末に第１の実施形態を適用した場合、タブレット２ａの入力画面上の入力領域Ａが小さいときでも、筆記入力に特別な注意が必要ではなく、簡単に手書き入力することができる。
【００８７】
〔４〕手書き入力した筆記文字列をかな漢字変換するときに、特開平１−１８７６６７号公報に記載の発明のように、筆記入力する際、かな漢字変換をするための入力領域と、かな漢字変換しない入力領域とに分けて筆記入力する必要がない。このため、筆記入力の際に手間がかからない。
【００８８】
（第２の実施形態）
次に、本発明を具体化した第２の実施形態について、図面を用いて説明する。なお、この第２の実施形態において、前記第１の実施形態と同様の部材については同一の符号を付してその詳細な説明を省略する。従って、以下には第１の実施形態と異なった点を中心に説明する。また、この第２の実施形態は、文書が縦書き（以下、「縦書き文書」という）の場合において、「横書き入力」の場合はかな漢字変換を行い、「縦書き入力」の場合はかな漢字変換を行わないように予め設定が固定されている。なお、この第２の実施形態では、前記第１の実施形態と同様に、一度に筆記入力可能なのは、単語または助詞であって、文節を筆記入力することはできない。そして、単語単位または助詞単位で筆記入力することにより、所望の文書を作成するようになっている。
【００８９】
この第２の実施形態における手書き入力かな漢字変換処理装置１の動作について、図６（ａ），（ｂ）に示す説明図及び図７に示すフローチャートを用いて説明する。なお、以下の処理は、前記第１の実施形態と同様に、主制御部３が記憶媒体８に記憶されているプログラムに基づいて行っている。また、前記第１の実施形態と同様に、［２−１］かな漢字変換を行う場合と、［２−２］かな漢字変換を行わない場合とに分けて説明を行う。
【００９０】
［２−１］かな漢字変換を行う場合
まず、かな漢字変換を行う場合について、図６（ａ）に示す説明図及び図７に示すフローチャートを用いて説明する。
【００９１】
図６（ａ）に示すように、使用者が手書き入力かな漢字変換処理装置１を動作させると、ＬＣＤ２ｃの表示画面上に、列毎の罫線が表示される。
図７に示すように、Ｓ２１においては、前記［１−１］かな漢字変換を行う場合（図５のＳ１１）と同様な処理を行う。そして、Ｓ２２に移行する。
【００９２】
Ｓ２２及びＳ２３においては、前記［１−１］かな漢字変換を行う場合（図５のＳ１２，Ｓ１３）と同様な処理を行う。そして、Ｓ２４に移行する。
Ｓ２４において、主制御部３は、筆記方向識別部５から転送されてきた情報が「横書き入力」か否かを判断する。この図６（ａ）に示す例では、主制御部３は、転送されてきた情報が「横書き入力」であるので、かな漢字変換を行うと判断して、認識文字列をかな漢字変換部６に転送する。そして、Ｓ２５に移行する。
【００９３】
Ｓ２５においては、前記［１−１］かな漢字変換を行う場合（図５のＳ１５）と同様な処理を行う。そして、Ｓ２６に移行する。
Ｓ２６においては、前記［１−１］かな漢字変換を行う場合（図５のＳ１６）と同様な処理を行う。
【００９４】
［２−２］かな漢字変換を行わない場合
次に、かな漢字変換を行わない場合について、図６（ｂ）に示す説明図及び図７に示すフローチャートを用いて説明する。
【００９５】
図６（ｂ）に示すように、使用者が手書き入力かな漢字変換処理装置１を動作させると、ＬＣＤ２ｃの表示画面上に、列毎の罫線が表示される。
Ｓ２１においては、前記［１−２］かな漢字変換を行わない場合（図５のＳ１１）と同様な処理を行う。そして、Ｓ２２に移行する。
【００９６】
Ｓ２２及びＳ２３においては、前記［１−２］かな漢字変換を行わない場合（図５のＳ１２，Ｓ１３）と同様な処理を行う。そして、Ｓ２４に移行する。
Ｓ２４において、主制御部３は、筆記方向識別部５から転送されてきた情報が「横書き入力」か否かを判断する。この図６（ｂ）に示す例では、主制御部３は、「縦書き入力」であるため、かな漢字変換を行わないと判断して、Ｓ２６に移行する。
【００９７】
Ｓ２６においては、前記［１−２］かな漢字変換を行わない場合（図５のＳ１６）と同様な処理を行う。
そして、使用者が、［２−１］かな漢字変換を行う場合及び［２−２］かな漢字変換を行わない場合の組み合わせを用いて、所望の単語または助詞を筆記入力することにより、所望の文書が作成される。文書の作成が終了すると、主制御部３は、使用者の入力ペン２ｂの指示によりメモリ７にその文書内容を転送する。すると、メモリ７は、その文書内容を記憶する。
【００９８】
以上、詳述したように第２の実施形態においては、次のような作用・効果を得ることができる。
〔１〕使用者が、かな漢字変換を行いたい場合は、入力ペン２ｂを用いて、タブレット２ａ上の入力領域Ａに対して、「横書き入力」で「ひらがな」を入力し、かな漢字変換を行わない場合は、「縦書き入力」または「１文字」のみで「ひらがな」を入力する。従って、前記第１の実施形態の〔１〕と同様な効果を得ることができる。
【００９９】
〔２〕前記第１の実施形態の〔２〕〜〔４〕に記載の作用・効果と同様な作用・効果を得ることができる。
（第３の実施形態）
次に、本発明を具体化した第３の実施形態について、図面を用いて説明する。なお、この第３の実施形態において、前記第１の実施形態と同様の部材については同一の符号を付してその詳細な説明を省略する。従って、以下には第１の実施形態と異なった点を中心に説明する。
【０１００】
この第３の実施形態においては、図８に示すように、図１に示した第１の実施形態のブロック構成図において、メモリ９を追加した構成となっている。
メモリ９は、使用者が任意に設定することができる文書スタイル（「横書き文書」或いは「縦書き文書」）の情報を記憶する。
【０１０１】
また、図９（ａ），（ｂ）及び図１０（ａ），（ｂ）に示すように、タブレット２ａの入力画面上のメニュー領域Ｂには、文書スタイルを設定するメニュー（「横書き文書」，「縦書き文書」）の各選択設定スイッチが配置されている。
【０１０２】
次に、この第３の実施形態における手書き入力かな漢字変換処理装置１の動作について、図９及び図１０に示す説明図と、図１１に示すフローチャートとを用いて説明する。なお、以下の処理は、前記第１の実施形態と同様に、主制御部３が記憶媒体８に記憶されているプログラムに基づいて行っている。また、この第３の実施形態では、［３−１−１］「横書き文書」でかな漢字変換を行う場合、［３−１−２］「横書き文書」でかな漢字変換を行わない場合、［３−２−１］「縦書き文書」でかな漢字変換を行う場合、［３−２−２］「縦書き文書」でかな漢字変換を行わない場合に分けて説明を行う。
【０１０３】
［３−１−１］「横書き文書」でかな漢字変換を行う場合
まず、「横書き文書」に設定でかな漢字変換を行う場合について、図９（ａ）に示す説明図及び図１１に示すフローチャートを用いて説明する。
【０１０４】
使用者が手書き入力かな漢字変換処理装置１を動作させると、ＬＣＤ２ｃの表示画面上には、例えば「文書スタイルを選択して下さい。」（図示略）とメッセージが表示される。
【０１０５】
図１１に示すように、Ｓ３１において、使用者は、入力ペン２ｂを用いて、メニュー領域Ｂから所望の文書スタイル（「横書き文書」或いは「縦書き文書」）を選択する。図９（ａ）に示すように、入力ペン２ｂで「横書き文書」を選択すると、主制御部３は、「横書き文書」という情報をメモリ９に転送する。メモリ９は、「横書き文書」という情報が転送されてくると、その「横書き文書」という情報を記憶する。次に、主制御部３は、ＬＣＤ２ｃの表示画面上から前記メッセージの表示を消去する。続いて、主制御部３は、選択された「横書き文書」に対応すべく、ＬＣＤ２ｃの表示画面上に、行毎の罫線を表示させる。そして、Ｓ３２に移行する。
【０１０６】
Ｓ３２〜Ｓ３４において、前記［１−１］かな漢字変換を行う場合（図５のＳ１１〜Ｓ１３）と同様な処理を行う。そして、Ｓ３５に移行する。
Ｓ３５において、主制御部３は、前記Ｓ３１でメモリ９に設定された文書スタイルが「横書き文書」であるか否かを判断する。この図９（ａ）の例では、文書スタイルが「横書き文書」であるため、Ｓ３６に移行する。
【０１０７】
Ｓ３６において、主制御部３は、文書スタイルが「横書き文書」である場合に、「縦書き入力」であるか否かを判断する。「縦書き入力」である場合は、かな漢字変換を行うと判断して、認識文字列をかな漢字変換部６に転送する。この図９（ａ）の例では、「縦書き入力」であるため、かな漢字変換を行うと判断して、認識文字列をかな漢字変換部６に転送する。そして、Ｓ３７に移行する。
【０１０８】
Ｓ３７において、かな漢字変換部６は、その認識文字列をかな漢字変換するとともに、その結果を主制御部３に転送する。そして、Ｓ３８に移行する。
Ｓ３８において、主制御部３は、前記［１−１］かな漢字変換を行う場合（図５のＳ１６）と同様な処理を行う。
【０１０９】
［３−１−２］「横書き文書」でかな漢字変換を行わない場合
次に、「横書き文書」でかな漢字変換を行わない場合について、図９（ｂ）に示す説明図及び図１１に示すフローチャートを用いて説明する。
【０１１０】
使用者が手書き入力かな漢字変換処理装置１を動作させると、ＬＣＤ２ｃの表示画面上には、例えば「文書スタイルを選択して下さい。」（図示略）とメッセージが表示される。
【０１１１】
図１１に示すように、Ｓ３１において、使用者が前記［３−１−１］「横書き文書」でかな漢字変換を行う場合と同様な処理を行う。そして、Ｓ３２に移行する。
【０１１２】
Ｓ３２〜Ｓ３５において、主制御部３は、前記［１−２］かな漢字変換を行わない場合（図５のＳ１１〜Ｓ１３）と同様な処理を行う。そして、Ｓ３６に移行する。
【０１１３】
Ｓ３６において、主制御部３は、文書スタイルが「横書き文書」である場合に、「縦書き入力」であるか否かを判断する。この図９（ｂ）の例では、「横書き入力」であるため、かな漢字変換を行わないと判断する。そして、Ｓ３８に移行する。
【０１１４】
Ｓ３８において、前記前記［１−２］かな漢字変換を行わない場合（図５のＳ１６）と同様な処理を行う。
［３−２−１］「縦書き文書」でかな漢字変換を行う場合
次に、「横書き文書」でかな漢字変換を行う場合について、図１０（ａ）に示す説明図及び図１１に示すフローチャートを用いて説明する。
【０１１５】
使用者が手書き入力かな漢字変換処理装置１を動作させると、ＬＣＤ２ｃの表示画面上には、例えば「文書スタイルを選択して下さい。」（図示略）とメッセージが表示される。
【０１１６】
図１１に示すように、Ｓ３１において、使用者は、入力ペン２ｂを用いて、メニュー領域Ｂから所望の文書スタイル（「横書き文書」或いは「縦書き文書」）を選択する。図１０（ａ）に示すように、入力ペン２ｂで「縦書き文書」を選択すると、主制御部３は、「縦書き文書」という情報をメモリ９に転送する。メモリ９は、主制御部３から「縦書き文書」という情報が転送されてくると、その「縦書き文書」という情報を記憶する。次に、主制御部３は、ＬＣＤ２ｃの表示画面上から前記メッセージの表示を消去する。続いて、主制御部３は、選択された「縦書き文書」に対応すべく、ＬＣＤ２ｃの表示画面上に、列毎の罫線を表示させる。
【０１１７】
Ｓ３２〜Ｓ３４において、前記［１−１］かな漢字変換を行う場合（図５のＳ１１〜Ｓ１３）と同様な処理を行う。そして、Ｓ３５に移行する。
Ｓ３５において、主制御部３は、前記Ｓ３１でメモリ９に設定された文書スタイルが「横書き文書」であるか否かを判断する。この図１０（ａ）の例では、文書スタイルが「縦書き文書」であるため、Ｓ３９に移行する。
【０１１８】
Ｓ３９において、主制御部３は、文書スタイルが「縦書き文書」である場合に、「横書き入力」であるか否かを判断する。「横書き入力」である場合は、かな漢字変換を行うと判断して、認識文字列をかな漢字変換部６に転送する。この図１０（ａ）の例では、「横書き入力」であるため、かな漢字変換を行うと判断して、認識文字列をかな漢字変換部６に転送する。そして、Ｓ３７に移行する。
【０１１９】
Ｓ３７において、かな漢字変換部６は、その認識文字列をかな漢字変換するとともに、その結果を主制御部３に転送する。そして、Ｓ３８に移行する。
Ｓ３８では、主制御部３は、前記［１−１］かな漢字変換を行う場合（図５のＳ１６）と同様な処理を行う。
【０１２０】
［３−２−２］「縦書き文書」でかな漢字変換を行わない場合
次に、「縦書き文書」でかな漢字変換を行わない場合について、図１０（ｂ）に示す説明図及び図１１に示すフローチャートを用いて説明する。
【０１２１】
使用者が手書き入力かな漢字変換処理装置１を動作させると、ＬＣＤ２ｃの表示画面上には、例えば「文書スタイルを選択して下さい。」（図示略）とメッセージが表示される。
【０１２２】
図１１に示すように、Ｓ３１において、使用者が前記［３−２−１］「縦書き文書」でかな漢字変換を行う場合と同様な処理を行う。そして、Ｓ３２に移行する。
【０１２３】
Ｓ３２〜Ｓ３４において、前記［１−１］かな漢字変換を行う場合（図５のＳ１１〜Ｓ１３）と同様な処理を行う。そして、Ｓ３５に移行する。
Ｓ３５において、主制御部３は、前記Ｓ３１で設定された文書スタイルが「横書き文書」であるか否かを判断する。この図１０（ｂ）の例では、文書スタイルが「縦書き文書」であるため、Ｓ３９に移行する。
【０１２４】
Ｓ３９において、主制御部３は、文書スタイルが「縦書き文書」である場合に、「横書き入力」であるか否かを判断する。この図１０（ｂ）の例では、「縦書き入力」であるため、かな漢字変換を行わないと判断して、Ｓ３８に移行する。
【０１２５】
Ｓ３８において、前記前記［１−２］かな漢字変換を行わない場合（図５のＳ１６）と同様な処理を行う。
以上、詳述したように第３の実施形態においては、上記第１の実施形態及び第２の実施形態の作用・効果に加えて、次のような作用・効果を得ることができる。
【０１２６】
〔１〕使用者が、入力ペン２ｂを用いて所望の文書スタイル（「横書き文書」、「縦書き文書」）をメニュー領域Ｂより選択する。すると、ＬＣＤ２ｃの表示画面上には、メニュー領域Ｂで選択した文書スタイルに応じた罫線が表示される。そして、図９（ａ）及び（ｂ）に示すように、文書スタイルが「横書き文書」でかな漢字変換を行う場合は「縦書き入力」で入力し、かな漢字変換を行わない場合は「横書き入力」または「１文字」のみで「ひらがな」を入力する。すると、その入力した筆記文字列に対して所望の処理が行われてＬＣＤ２ｃの表示画面上に表示される。
【０１２７】
また、図１０（ａ）及び（ｂ）に示すように、文書スタイルが「縦書き文書」でかな漢字変換を行う場合は「横書き入力」で入力し、かな漢字変換を行わない場合は「縦書き入力」または「１文字」のみで「ひらがな」を入力する。すると、その入力した筆記文字列に対して所望の処理が行われてＬＣＤ２ｃの表示画面上に表示される。
【０１２８】
〔２〕上記〔１〕より、使用者の使用目的や好みに応じて、文書スタイルをメニュー領域Ｂで設定して筆記入力することができ、しかも筆記方向（「横書き入力」或いは「縦書き入力」）に応じて、所望のかな漢字変換処理を行わせることができる。
【０１２９】
（第４の実施形態）
次に、本発明を具体化した第４の実施形態について、図面を用いて説明する。なお、この第４の実施形態において、前記第３の実施形態と同様の部材については同一の符号を付して説明を省略する。従って、以下には第３の実施形態と異なった点を中心に説明する。
【０１３０】
この第４の実施形態においては、図１２に示すように、図８に示した第３の実施形態のブロック構成図において、筆記方向認識部５を削除し、その代わりにメモリ１０を追加した構成となっている。
【０１３１】
メモリ１０は、使用者が任意に設定することができる筆記方向（「横書き入力」或いは「縦書き入力」）の情報を記憶する。
また、図１３（ａ），（ｂ）及び図１４（ａ），（ｂ）に示すように、タブレット２ａの入力画面上のメニュー領域Ｂには、第３の実施形態における文書スタイルを設定するメニュー（「横書き文書」，「縦書き文書」）に加えて、筆記方向を設定するメニュー（「横書き入力」，「縦書き入力」）の各選択設定スイッチが配置されている。
【０１３２】
次に、この第４の実施形態のおける手書き入力かな漢字変換処理装置１の動作について、図１３（ａ），（ｂ）及び図１４（ａ），（ｂ）に示す説明図と、図１５に示すフローチャートとを用いて説明する。なお、以下の処理は、前記第１の実施形態と同様に、主制御部３が記憶媒体８に記憶されているプログラムに基づいて行っている。また、この第４の実施形態では、［４−１−１］「横書き文書」，「横書き入力」でかな漢字変換を行う場合、［４−１−２］「横書き文書」，「縦書き入力」でかな漢字変換を行う場合、［４−２−１］「縦書き文書」，「横書き入力」でかな漢字変換を行う場合及び［４−２−２］「縦書き文書」，「縦書き入力」でかな漢字変換を行う場合に分けて説明を行う。
【０１３３】
［４−１−１］「横書き文書」，「横書き入力」に設定でかな漢字変換を行う場合
まず、「横書き文書」，「横書き入力」でかな漢字変換を行う場合について、図１３（ａ）に示す説明図及び図１５に示すフローチャートを用いて説明する。
【０１３４】
使用者が手書き入力かな漢字変換処理装置１を動作させると、ＬＣＤ２ｃの表示画面上には、例えば「文書スタイル、筆記方向を選択して下さい。」（図示略）とメッセージが表示される。
【０１３５】
図１５に示すように、Ｓ４１において、使用者は、入力ペン２ｂを用いて、メニュー領域Ｂから所望の文書スタイル（「横書き文書」或いは「縦書き文書」）及び筆記方向（「横書き入力」或いは「縦書き入力」）を選択する。
【０１３６】
図１３（ａ）に示すように、例えば入力ペン２ｂで「横書き文書」と「横書き入力」とを選択すると、主制御部３は、「横書き文書」という情報をメモリ９に転送する。メモリ９は、「横書き文書」という情報が転送されてくると、その「横書き文書」という情報を記憶する。また、主制御部３は、「横書き入力」という情報をメモリ１０に転送する。メモリ１０は、「横書き入力」という情報が転送されてくると、その「横書き入力」という情報を記憶する。次に、主制御部３は、ＬＣＤ２ｃの表示画面上から前記メッセージの表示を消去する。続いて、主制御部３は、選択された「横書き文書」に対応すべく、ＬＣＤ２ｃの表示画面上に、行毎の罫線を表示させる。そして、Ｓ４２に移行する。
【０１３７】
Ｓ４２及びＳ４３において、前記［１−１］かな漢字変換を行う場合（図５のＳ１１，Ｓ１２）と同様な処理を行う。そして、Ｓ４４に移行する。
Ｓ４４において、主制御部３は、前記Ｓ４１でメモリ９に設定された文書スタイルが「横書き文書」であるか否かを判断する。この図１３（ａ）の例では、文書スタイルが「横書き文書」であるため、Ｓ４５に移行する。
【０１３８】
Ｓ４５において、主制御部３は、入力ペン２ｂでタブレット２ａに筆記入力された筆記文字列が前記Ｓ４１でメモリ１０に設定した筆記方向と同じか否かを判断する。筆記方向が同じである場合は、かな漢字変換を行うと判断して、認識文字列をかな漢字変換部６に転送する。この図１３（ａ）の例では、「横書き入力」であるため、かな漢字変換を行うと判断して、認識文字列をかな漢字変換部６に転送する。そして、Ｓ４６に移行する。
【０１３９】
Ｓ４６において、かな漢字変換部６は、その認識文字列をかな漢字変換するとともに、その結果を主制御部３に転送する。そして、Ｓ４７に移行する。
Ｓ４７において、主制御部３は、前記［１−１］かな漢字変換を行う場合（図５のＳ１６）と同様な処理を行う。
【０１４０】
なお、前記Ｓ４５において、筆記方向が同じでない場合（「縦書き入力」の場合）は、かな漢字変換を行わないと判断する。そして、Ｓ４７に移行する。Ｓ４７において、前記［１−２］かな漢字変換を行わない場合（図５のＳ１６）と同様な処理を行う。
【０１４１】
［４−１−２］「横書き文書」，「縦書き入力」でかな漢字変換を行う場合
次に、「横書き文書」，「縦書き入力」に設定でかな漢字変換を行う場合について、図１３（ｂ）に示す説明図及び図１５に示すフローチャートを用いて説明する。
【０１４２】
使用者が手書き入力かな漢字変換処理装置１を動作させると、ＬＣＤ２ｃの表示画面上には、例えば「文書スタイル、筆記方向を選択して下さい。」（図示略）とメッセージが表示される。
【０１４３】
図１５に示すように、Ｓ４１において、使用者は、入力ペン２ｂを用いて、メニュー領域Ｂから所望の文書スタイル（「横書き文書」或いは「縦書き文書」）及び筆記方向（「横書き入力」或いは「縦書き入力」）を選択する。
【０１４４】
図１３（ｂ）に示すように、例えば入力ペン２ｂで「横書き文書」と「横書き入力」とを選択すると、主制御部３は、「横書き文書」という情報をメモリ９に転送する。メモリ９は、「横書き文書」という情報が転送されてくると、その「横書き文書」という情報を記憶する。また、主制御部３は、「縦書き入力」という情報をメモリ１０に転送する。メモリ１０は、「縦書き入力」という情報が転送されてくると、その「縦書き入力」という情報を記憶する。次に、主制御部３は、ＬＣＤ２ｃの表示画面上から前記メッセージの表示を消去する。続いて、主制御部３は、選択された「横書き文書」に対応すべく、ＬＣＤ２ｃの表示画面上に、行毎の罫線を表示させる。そして、Ｓ４２に移行する。
【０１４５】
Ｓ４２及びＳ４３において、前記［１−１］かな漢字変換を行う場合（図５のＳ１１，Ｓ１２）と同様な処理を行う。そして、Ｓ４４に移行する。
Ｓ４４において、主制御部３は、前記Ｓ４１でメモリ９に設定された文書スタイルが「横書き文書」であるか否かを判断する。この図１３（ｂ）の例では、文書スタイルが「横書き文書」であるため、Ｓ４５に移行する。
【０１４６】
Ｓ４５において、主制御部３は、入力ペン２ｂでタブレット２ａに筆記入力された筆記文字列が前記Ｓ４１でメモリ１０に設定した筆記方向と同じか否かを判断する。筆記方向が同じである場合は、かな漢字変換を行うと判断して、認識文字列をかな漢字変換部６に転送する。この図１３（ｂ）の例では、「縦書き入力」であるため、かな漢字変換を行うと判断して、認識文字列をかな漢字変換部６に転送する。そして、Ｓ４６に移行する。
【０１４７】
Ｓ４６において、かな漢字変換部６は、その認識文字列をかな漢字変換するとともに、その結果を主制御部３に転送する。そして、Ｓ４７に移行する。
Ｓ４７において、主制御部３は、前記［１−１］かな漢字変換を行う場合（図５のＳ１６）と同様な処理を行う。
【０１４８】
なお、前記Ｓ４５において、筆記方向が同じでない場合（「横書き入力」の場合）は、かな漢字変換を行わないと判断する。そして、Ｓ４７に移行する。Ｓ４７において、前記［１−２］かな漢字変換を行わない場合（図５のＳ１６）と同様な処理を行う。
【０１４９】
［４−２−１］「縦書き文書」，「横書き入力」でかな漢字変換を行う場合
次に、「縦書き文書」，「横書き入力」に設定でかな漢字変換を行う場合について、図１４（ａ）に示す説明図及び図１５に示すフローチャートを用いて説明する。
【０１５０】
使用者が手書き入力かな漢字変換処理装置１を動作させると、ＬＣＤ２ｃの表示画面上には、例えば「文書スタイル、筆記方向を選択して下さい。」（図示略）とメッセージが表示される。
【０１５１】
図１５に示すように、Ｓ４１において、使用者は、入力ペン２ｂを用いて、メニュー領域Ｂから所望の文書スタイル（「横書き文書」或いは「縦書き文書」）及び筆記方向（「横書き入力」或いは「縦書き入力」）を選択する。
【０１５２】
図１４（ａ）に示すように、例えば入力ペン２ｂで「縦書き文書」と「横書き入力」とを選択すると、主制御部３は、「縦書き文書」という情報をメモリ９に転送する。メモリ９は、「縦書き文書」という情報が転送されてくると、その「縦書き文書」という情報を記憶する。また、主制御部３は、「横書き入力」という情報をメモリ１０に転送する。メモリ１０は、「横書き入力」という情報が転送されてくると、その「横書き入力」という情報を記憶する。次に、主制御部３は、ＬＣＤ２ｃの表示画面上から前記メッセージの表示を消去する。続いて、主制御部３は、選択された「縦書き文書」に対応すべく、ＬＣＤ２ｃの表示画面上に、列毎の罫線を表示させる。そして、Ｓ４２に移行する。
【０１５３】
Ｓ４２及びＳ４３において、前記［１−１］かな漢字変換を行う場合（図５のＳ１１，Ｓ１２）と同様な処理を行う。そして、Ｓ４４に移行する。
Ｓ４４において、主制御部３は、前記Ｓ４１でメモリ９に設定された文書スタイルが「横書き文書」であるか否かを判断する。この図１４（ａ）の例では、文書スタイルが「縦書き文書」であるため、Ｓ４８に移行する。
【０１５４】
Ｓ４８において、主制御部３は、入力ペン２ｂでタブレット２ａに筆記入力された筆記文字列が前記Ｓ４１でメモリ１０に設定した筆記方向と同じか否かを判断する。筆記方向が同じである場合は、かな漢字変換を行うと判断して、認識文字列をかな漢字変換部６に転送する。この図１４（ａ）の例では、「横書き入力」であるため、かな漢字変換を行うと判断して、認識文字列をかな漢字変換部６に転送する。そして、Ｓ４６に移行する。
【０１５５】
Ｓ４６において、かな漢字変換部６は、その認識文字列をかな漢字変換するとともに、その結果を主制御部３に転送する。そして、Ｓ４７に移行する。
Ｓ４７において、主制御部３は、前記［１−１］かな漢字変換を行う場合（図５のＳ１６）と同様な処理を行う。
【０１５６】
なお、前記Ｓ４８において、筆記方向が同じでない場合（「縦書き入力」の場合）は、かな漢字変換を行わないと判断する。そして、Ｓ４７に移行する。Ｓ４７において、前記［１−２］かな漢字変換を行わない場合（図５のＳ１６）と同様な処理を行う。
［４−２−２］「縦書き文書」，「縦書き入力」でかな漢字変換を行う場合
次に、「縦書き文書」，「横書き入力」に設定でかな漢字変換を行う場合について、図１４（ｂ）に示す説明図及び図１５に示すフローチャートを用いて説明する。
【０１５７】
使用者が手書き入力かな漢字変換処理装置１を動作させると、ＬＣＤ２ｃの表示画面上には、例えば「文書スタイル、筆記方向を選択して下さい。」（図示略）とメッセージが表示される。
【０１５８】
図１５に示すように、Ｓ４１において、使用者は、入力ペン２ｂを用いて、メニュー領域Ｂから所望の文書スタイル（「横書き文書」或いは「縦書き文書」）及び筆記方向（「横書き入力」或いは「縦書き入力」）を選択する。
【０１５９】
図１４（ｂ）に示すように、例えば入力ペン２ｂで「縦書き文書」と「縦書き入力」とを選択すると、主制御部３は、「縦書き文書」という情報をメモリ９に転送する。メモリ９は、「縦書き文書」という情報が転送されてくると、その「縦書き文書」という情報を記憶する。また、主制御部３は、「縦書き入力」という情報をメモリ１０に転送する。メモリ１０は、「縦書き入力」という情報が転送されてくると、その「縦書き入力」という情報を記憶する。次に、主制御部３は、ＬＣＤ２ｃの表示画面上から前記メッセージの表示を消去する。続いて、主制御部３は、選択された「縦書き文書」に対応すべく、ＬＣＤ２ｃの表示画面上に、列毎の罫線を表示させる。そして、Ｓ４２に移行する。
【０１６０】
Ｓ４２及びＳ４３において、前記［１−１］かな漢字変換を行う場合（図５のＳ１１，Ｓ１２）と同様な処理を行う。そして、Ｓ４４に移行する。
Ｓ４４において、主制御部３は、前記Ｓ４１でメモリ９に設定された文書スタイルが「横書き文書」であるか否かを判断する。この図１４（ｂ）の例では、文書スタイルが「縦書き文書」であるため、Ｓ４８に移行する。
【０１６１】
Ｓ４８において、主制御部３は、入力ペン２ｂでタブレット２ａに筆記入力された筆記文字列が前記Ｓ４１でメモリ１０に設定した筆記方向と同じか否かを判断する。筆記方向が同じである場合は、かな漢字変換を行うと判断して、認識文字列をかな漢字変換部６に転送する。この図１４（ｂ）の例では、「縦書き入力」であるため、かな漢字変換を行うと判断して、認識文字列をかな漢字変換部６に転送する。そして、Ｓ４６に移行する。
【０１６２】
Ｓ４６において、かな漢字変換部６は、その認識文字列をかな漢字変換するとともに、その結果を主制御部３に転送する。そして、Ｓ４７に移行する。
Ｓ４７において、主制御部３は、前記［１−１］かな漢字変換を行う場合（図５のＳ１６）と同様な処理を行う。
【０１６３】
なお、前記Ｓ４８において、筆記方向が同じでない場合（「横書き入力」の場合）は、かな漢字変換を行わないと判断する。そして、Ｓ４７に移行する。Ｓ４７において、前記［１−２］かな漢字変換を行わない場合（図５のＳ１６）と同様な処理を行う。
【０１６４】
以上、詳述したように第４の実施形態においては、上記第３の実施形態の作用・効果に加えて、次のような作用・効果を得ることができる。
〔１〕使用者が、入力ペン２ｂを用いて所望の文書スタイル（「横書き文書」、「縦書き文書」）及び筆記方向（「横書き入力」、「縦書き入力」）をメニュー領域Ｂより選択する。すると、ＬＣＤ２ｃの表示画面上には、メニュー領域Ｂで選択した文書スタイルに応じた罫線が表示される。そして、設定した筆記方向と同じ筆記方向で「ひらがな」を入力すると、かな漢字変換が行われる。また、設定した筆記方向とは異なる筆記方向で「ひらがな」を筆記入力すると、かな漢字変換が行われない。
【０１６５】
〔２〕上記〔１〕より、使用者の好みに応じて、文書スタイルとかな漢字変換を行う筆記方向とを自由に設定することができる。
（第５の実施形態）
次に、本発明を具体化した第５の実施形態について、図面を用いて説明する。なお、この第５の実施形態において、前記第１の実施形態と同様の部材については同一の符号を付して説明を省略する。従って、以下には第１の実施形態と異なった点を中心に説明する。また、この第５の実施形態は、「横書き文書」の場合において、「縦書き入力」の場合はかな漢字変換を行い、「横書き入力」の場合はかな漢字変換を行わないように予め設定が固定されている。さらに、この第５の実施形態では、後述するかな漢字変換対象とすることができるのは、単語または助詞であって、文節をかな漢字変換対象とすることはできない。そして、文節単位で筆記入力することにより、所望の文書を作成するようになっている。
【０１６６】
この第５の実施形態においては、図１６に示すように、図１に示した第１の実施形態のブロック構成図において、文字列認識部４が文字認識部５０に変更された構成となっている。
【０１６７】
この文字認識部５０は、第１の実施形態の文字列認識部４とは異なり、筆記文字列を文字単位に切り出し、各筆記文字の縦方向の長さ及び横方向の長さを測定する。そして、「横書き入力」の場合は、各筆記文字の横方向の長さの合計をその筆記文字列の横方向の長さと判定し、各筆記文字の縦方向の長さのうち最大の長さをその筆記文字列の縦方向の長さと判定する。また、「縦書き入力」の場合は、各筆記文字の縦方向の長さの合計をその筆記文字列の縦方向の長さと判定し、各筆記文字の横方向の長さのうち最大の長さをその筆記文字列の横方向の長さと判定する。
【０１６８】
次に、手書き入力かな漢字変換処理装置１で行われる処理について、図面を用いて説明する。
まず、文字認識部５０で行われる処理（各筆記文字を文字認識し、認識された各筆記文字の縦方向の長さ及び横方向の長さを測定し、各筆記文字列の縦方向の長さの合計または横方向の長さの合計を算出し、各筆記文字列の横方向の長さの最大値または縦方向の長さの最大値を判定する処理）について、図１７（ａ），（ｂ）に示す説明図及び図１８に示すフローチャートを用いて説明する。
【０１６９】
次に、図１７（ａ），（ｂ）に示すように、入力ペン２ｂでタブレット２ａに筆記入力された後、切り出された各筆記文字に対して、第１番目の筆記文字の横方向の長さを「Ｘ１」、第２番目の筆記文字の横方向の長さを「Ｘ２」、第３番目の筆記文字の横方向の長さを「Ｘ３」とする。以下、同様にｎ番目の筆記文字の横方向の長さを「Ｘｎ」とする。また、横方向の長さと同様に第１番目の筆記文字の縦方向の長さを「Ｙ１」、第２番目の筆記文字の縦方向の長さを「Ｙ２」、第３番目の筆記文字の縦方向の長さを「Ｙ３」とする。以下、同様にｎ番目の筆記文字の縦方向の長さを「Ｙｎ」とする。
【０１７０】
そして、図１７（ａ）に示すように、「横書き入力」の場合は、各筆記文字の横方向の長さの合計を筆記文字列の長さ「ＸＬ」（＝Ｘ１＋Ｘ２＋…＋Ｘｎ）とし、各筆記文字の縦方向の長さのうち最大値を筆記文字列の長さ「ＹＬ」と判定する。また、図１７（ｂ）に示すように、「縦書き入力」の場合は、各筆記文字の縦方向の長さの合計を筆記文字列の長さ「ＹＬ」（＝Ｙ１＋Ｙ２＋…＋Ｙｎ）とし、各筆記文字の縦方向の長さのうち最大値を筆記文字列の長さ「ＸＬ」と判定する。
【０１７１】
図１８に示すように、Ｓ５１において、「横書き入力」で例えば「かいぎ」と筆記入力されると、文字認識部５０は、各筆記文字を文字単位に切り出す。続いて、文字認識部５０は、各筆記文字の横方向の長さ（Ｘ１，Ｘ２，Ｘ３）及び縦方向の長さ（Ｙ１，Ｙ２，Ｙ３）を順次測定する。
【０１７２】
Ｓ５２において、文字認識部５０は、筆記文字列の横方向の長さ「ＸＬ」（＝Ｘ１＋Ｘ２＋…＋Ｘｎ）を算出し、筆記文字列の縦方向の長さのうち最大値「ＹＬ」（＝Ｙ３）を判定する。そして、Ｓ５３に移行する。
【０１７３】
Ｓ５３〜Ｓ５８において、前記図３に示すフローチャートのＳ１〜Ｓ７と同様な処理を行う。そして、文字認識部５０は、筆記方向（「横書き入力」或いは「縦書き入力」）毎に、この図１８に示す処理を繰り返し行う。その結果、筆記方向認識部５は、前記第１の実施形態と同様に筆記入力される筆記文字列毎の筆記方向を判断することができる。
【０１７４】
次に、第５の実施形態における手書き入力かな漢字変換処理装置１の動作について、図１９（ａ），（ｂ）に示す説明図及び図２０に示すフローチャートを用いて説明する。なお、以下の処理は、前記第１の実施形態と同様に主制御部３が記憶媒体８に記憶されているプログラムに基づいて、手書き入力かな漢字変換処理装置１全体の制御を行っている。また、この第５の実施形態において、手書き入力かな漢字変換処理装置１によって作成される文書の方向は、「横書き文書」に固定されているものである。さらに、［５−１］「漢字かな交じりの単語」のかな漢字変換を行う場合と、［５−２］「ひらがな」のみをかな漢字変換を行う場合とに分けて説明を行う。
【０１７５】
［５−１］「漢字かな交じりの単語」のかな漢字変換を行う場合
まず、漢字かな交じりのかな漢字変換を行う場合について、図１９（ａ）に示す説明図及び図２０に示すフローチャートを用いて説明する。
【０１７６】
図１９（ａ）に示すように、使用者が手書き入力かな漢字変換処理装置１を動作させると、ＬＣＤ２ｃの表示画面上に、行毎の罫線が表示される。
図２０に示すように、Ｓ６１において、使用者が入力ペン２ｂを用いてタブレット２ａの入力画面上の入力領域Ａにおいて、任意の箇所に「縦書き入力」で、例えば「山ろく」と手書き入力した後、続けて「横書き入力」で「の家」と手書き入力して、一定時間経過すると、文字認識部５０は、前記図１８に示すフローチャートの処理に基づいて、手書き入力が一旦終了したと判断し、入力された筆記文字列の座標データを読み込む。また、主制御部３は、そのタブレット２ａを介して手書き入力された筆記文字列を、ＬＣＤ２ｃの表示画面上にそのまま表示させる。そして、Ｓ６２に移行する。
【０１７７】
Ｓ６２において、文字認識部５０は、読み込んだ座標データを文字認識する。そして、文字認識部５０は、文字認識した筆記文字列（以下、認識文字列という）を主制御部３に転送する。そして、Ｓ６３に移行する。
【０１７８】
Ｓ６３において、主制御部３は、認識文字列を筆記方向識別部５に転送する。すると、筆記方向識別部５は、前記図１８に示すフローチャートの処理に基づいて、「縦書き入力」「横書き入力」「１文字」のいずれであるかを認識して、その結果を主制御部３に転送する。この図１９（ａ）に示す例では、「山ろく」は「縦書き入力」という情報を主制御部３に転送する。そして、Ｓ６４に移行する。
【０１７９】
Ｓ６４において、主制御部３は、筆記方向識別部５から転送されてきた情報が「縦書き入力」か否かを判断する。この図１９（ａ）に示す例では、転送されてきた情報（「山ろく」）が「縦書き入力」であるため、主制御部３は、かな漢字変換を行うと判断して、認識文字列をかな漢字変換部６に転送する。そして、Ｓ６５に移行する。
【０１８０】
Ｓ６５において、かな漢字変換部６は、転送されてきた認識文字列をかな漢字変換するとともに、かな漢字変換後の文字列を主制御部３に転送する。このとき、「山ろく」と筆記入力した場合、かな漢字変換部６は、「ひらがな」で「さんろく」と筆記入力した場合とは異なり、「山」に関係する「ろく」をかな漢字変換するため、かな漢字変換の効率が向上される。そして、Ｓ６６に移行する。
【０１８１】
Ｓ６６において、主制御部３は、転送されてきたかな漢字変換後の文字列をＬＣＤ２ｃの表示画面上に表示させる。ただし、カーソルＣで指定された行及び位置に表示されるかな漢字変換後の文字列の大きさは、行の罫線間隔に対応した大きさで表示される。また、カーソルＣで指定された行及び位置にかな漢字変換後の文字列が表示された後に、手書き入力された筆記文字列の筆跡が消去される。そして、Ｓ６７に移行する。
【０１８２】
Ｓ６７において、主制御部３は、前記Ｓ６２で認識したすべての筆記文字をＬＣＤ２ｃの表示画面上に表示したか否かを判断する。すべての筆記文字をＬＣＤ２ｃの表示画面上に表示している場合は、この処理を終了する。すべての筆記文字をＬＣＤ２ｃの表示画面上に表示していない場合は、前記Ｓ６３に戻って次の筆記文字の処理を行う。この図１９（ｂ）に示す例では、次の「の家」が「横書き入力」であるため、かな漢字変換を行わないと判断して、そのままＬＣＤ２ｃの表示画面上に表示する。
【０１８３】
従って、手書きで「山ろく」と「縦書き入力」し、「の家」と「横書き入力」した筆記文字は、図２０に示すフローチャートの処理により「山麓の家」とかな漢字変換されてＬＣＤ２ｃの表示画面上に表示される。
【０１８４】
［５−２］「ひらがな」のみをかな漢字変換を行う場合
次に、「ひらがな」のみをかな漢字変換を行う場合について、図１９（ｂ）に示す説明図及び図２０に示すフローチャートを用いて説明する。
【０１８５】
図１９（ｂ）に示すように、使用者が手書き入力かな漢字変換処理装置１を動作させると、ＬＣＤ２ｃの表示画面上に、行毎の罫線が表示される。
図２０に示すように、Ｓ６１において、使用者が入力ペン２ｂを用いてタブレット２ａの入力画面上の入力領域Ａにおいて、任意の箇所に「縦書き入力」で、例えば「山」と手書き入力した後、続けて「縦書き入力」で「ろく」と手書き入力し、さらに続けて「横書き入力」で「の家」と手書き入力して、一定時間経過すると、文字認識部５０は、前記図１８に示すフローチャートの処理に基づいて、手書き入力が一旦終了したと判断し、入力された筆記文字列の座標データを読み込む。また、主制御部３は、そのタブレット２ａを介して手書き入力された筆記文字列を、ＬＣＤ２ｃの表示画面上にそのまま表示させる。そして、Ｓ６２に移行する。
【０１８６】
Ｓ６２において、文字認識部５０は、読み込んだ座標データを文字認識する。そして、文字認識部５０は、文字認識した筆記文字列（以下、認識文字列という）を主制御部３に転送する。そして、Ｓ６３に移行する。
【０１８７】
Ｓ６３〜Ｓ６６において、図１９（ａ）に示す例では、前記［５−１］「漢字かな交じりの単語」のかな漢字変換を行う場合と同様に「山」は「１文字」であるため、かな漢字変換を行わないと判断して、そのままＬＣＤ２ｃの表示画面上に表示する。そして、Ｓ６７に移行する。
【０１８８】
Ｓ６７においては、主制御部３は、前記Ｓ６２で認識したすべての筆記文字をＬＣＤ２ｃの表示画面上に表示したか否かを判断する。すべての筆記文字をＬＣＤ２ｃの表示画面上に表示している場合は、この処理を終了する。すべての筆記文字をＬＣＤ２ｃの表示画面上に表示していない場合は、前記Ｓ６３に戻って次の筆記文字の処理を行う。この図１９（ｂ）に示す例では、次の「ろく」がＳ６３において、主制御部３は、認識文字列を筆記方向識別部５に転送する。すると、筆記方向識別部５は、前記図１８に示すフローチャートの処理に基づいて、「縦書き入力」「横書き入力」「１文字」のいずれであるかを認識して、その結果を主制御部３に転送する。この図１９（ｂ）に示す例では、「ろく」は「縦書き入力」という情報を主制御部３に転送する。そして、Ｓ６４に移行する。
【０１８９】
Ｓ６４において、主制御部３は、筆記方向識別部５から転送されてきた情報が「縦書き入力」か否かを判断する。この図１９（ｂ）に示す例では、転送されてきた情報（「ろく」）が「縦書き入力」であるため、主制御部３は、かな漢字変換を行うと判断して、認識文字列をかな漢字変換部６に転送する。そして、Ｓ６５に移行する。
【０１９０】
Ｓ６５において、かな漢字変換部６は、転送されてきた認識文字列をかな漢字変換するとともに、かな漢字変換後の文字列を主制御部３に転送する。そして、Ｓ６６に移行する。
【０１９１】
Ｓ６６において、主制御部３は、転送されてきたかな漢字変換後の文字列をＬＣＤ２ｃの表示画面上に表示させる。ただし、カーソルＣで指定された行及び位置に表示されるかな漢字変換後の文字列の大きさは、行の罫線間隔に対応した大きさで表示される。また、カーソルＣで指定された行及び位置にかな漢字変換後の文字列が表示された後に、手書き入力された筆記文字列の筆跡が消去される。そして、Ｓ６７に移行する。
【０１９２】
Ｓ６７において、主制御部３は、前記Ｓ６２で認識したすべての筆記文字をＬＣＤ２ｃの表示画面上に表示したか否かを判断する。すべての筆記文字をＬＣＤ２ｃの表示画面上に表示している場合は、この処理を終了する。すべての筆記文字をＬＣＤ２ｃの表示画面上に表示していない場合は、前記Ｓ６３に戻って次の筆記文字の処理を行う。この図１９（ｂ）に示す例では、次の「の家」が「横書き入力」であるため、かな漢字変換を行わないと判断して、そのままＬＣＤ２ｃの表示画面上に表示する。
【０１９３】
従って、手書きで「山」と「１文字」入力し、続いて、「ろく」と「縦書き入力」し、「の家」と「横書き入力」した筆記文字は、図２０に示すフローチャートの処理により「山麓の家」とかな漢字変換されてＬＣＤ２ｃの表示画面上に表示される。
【０１９４】
以上、詳述したように第５の実施形態においては、上記第１の実施形態の作用・効果に加えて、次のような作用・効果を得ることができる。
〔１〕使用者が、入力ペン２ｂでタブレット２ａに対して、一度に筆記入力することが可能な筆記文字列の制限がないため、単語若しくは助詞に対して所望の処理を行われるのを待つ必要がない。従って、より短時間で筆記入力することができる。
【０１９５】
〔２〕使用者が、かな漢字変換対象に「漢字かな交じりの単語」を筆記入力することにより、漢字を考慮したかな漢字変換を行うことができる。このため、使用者が要求しているかな漢字変換を効率良く行うことができる。
【０１９６】
なお、上記各実施形態は以下のように変更してもよく、その場合でも同様の作用および効果を得ることができる。
（ａ）第５の実施形態と第２実施形態とを組み合わせて実施すること。
【０１９７】
（ｂ）第５の実施形態と第３実施形態とを組み合わせて実施すること。
（ｃ）第５の実施形態と第４実施形態とを組み合わせて実施すること。
（ｄ）第１〜第４の実施形態において、筆記文字列の切出しを筆記文字列単位から筆記文字列を構成する各筆記文字単位に変更すること。
【０１９８】
（ｅ）前記［５−２］「ひらがな」のみをかな漢字変換を行う場合において、「山」のかな漢字変換を行った後、「ろく」を変換するときに、例えば特開平８−３６５７１号公報に記載の発明のように、先行する漢字を含めて熟語として認識させるように構成すること。このように構成すれば、かな漢字変換効率を向上させることができる。
【０１９９】
（ｆ）日本語だけでなく、あらゆる言語に適用すること。
さらに、上記実施形態より把握される請求項以外の技術的思想について、以下にそれらの効果と共に記載する。
【０２００】
（１）請求項２，３，５，６のいずれか１項に記載の手書き入力かな漢字変換処理装置において、前記かな漢字変換手段は、前記筆記方向識別手段の識別に基づいて、筆記方向が縦書きであるときはかな漢字変換を行わず、筆記方向が横書きであるときはかな漢字変換を行う手書き入力かな漢字変換処理装置。
【０２０１】
（２）請求項２，３，５，６のいずれか１項に記載の手書き入力かな漢字変換処理装置において、前記かな漢字変換手段は、前記筆記方向識別手段の識別に基づいて、筆記方向が横書きであるときはかな漢字変換を行わず、筆記方向が縦書きであるときはかな漢字変換を行う手書き入力かな漢字変換処理装置。
【０２０２】
このように構成しても、上記実施形態と同様な効果を得ることができる。
（３）請求項２〜請求項７のいずれか１項に記載の手書き入力かな漢字変換処理装置において、作成された文書を記憶するための第３記憶手段を備えた手書き入力かな漢字変換処理装置。
【０２０３】
なお、第３記憶手段は、メモリ７から構成されている。
このように構成すれば、作成された文書を第３記憶手段に記憶させることができる。
【０２０４】
ところで、本明細書において、記録媒体とは、読み出しが可能な半導体記憶装置、磁気記憶装置の記録媒体、光磁気記憶装置の記録媒体など、コンピュータのプログラムを記録できるものならどのようなものでもよい。具体的には、半導体ＲＯＭ、フロッピーディスク、ハードディスク、光ディスク、光磁気ディスク、相変化ディスク、磁気テープなどを含むものとする。
【０２０５】
【発明の効果】
請求項１〜７のいずれか１項に記載の発明によれば、簡単に入力することが可能で操作性に優れた手書き入力かな漢字変換処理装置を提供することができる。
【０２０６】
請求項８〜１４のいずれか１項に記載の発明によれば、簡単に入力することが可能で操作性に優れた手書き入力かな漢字変換処理方法を提供することができる。
【図面の簡単な説明】
【図１】第１及び第２の実施形態の構成を示すブロック図。
【図２】第１の実施形態の動作を説明するための説明図。
【図３】第１の実施形態の動作を説明するためのフローチャート。
【図４】第１の実施形態の動作を説明するための説明図。
【図５】第１の実施形態の動作を説明するためのフローチャート。
【図６】第２の実施形態の動作を説明するための説明図。
【図７】第２の実施形態の動作を説明するためのフローチャート。
【図８】第３の実施形態の構成を示すブロック図。
【図９】第３の実施形態の動作を説明するための説明図。
【図１０】第３の実施形態の動作を説明するための説明図。
【図１１】第３の実施形態の動作を説明するためのフローチャート。
【図１２】第４の実施形態の構成を示すブロック図。
【図１３】第４の実施形態の動作を説明するための説明図。
【図１４】第４の実施形態の動作を説明するための説明図。
【図１５】第４の実施形態の動作を説明するためのフローチャート。
【図１６】第５の実施形態の構成を示すブロック図。
【図１７】第５の実施形態の動作を説明するための説明図。
【図１８】第５の実施形態の動作を説明するためのフローチャート。
【図１９】第５の実施形態の動作を説明するための説明図。
【図２０】第５の実施形態の動作を説明するためのフローチャート。
【図２１】従来の一実施形態の動作を説明するための説明図。
【符号の説明】
１…手書き入力かな漢字変換処理装置
２…入力手段及び表示手段としての入力表示装置
３…主制御部
４…文字列認識手段としての文字列認識部
５…筆記方向識別手段としての筆記方向識別部
６…かな漢字変換手段としてのかな漢字変換部
７…第３記憶手段としてのメモリ
８…記録媒体
９…第１記憶手段としてのメモリ
１０…第２記憶手段としてのメモリ
５０…文字認識手段としての文字認識部
【図１】
0003599927.tif 000002
【図２】
0003599927.tif 000003
【図３】
0003599927.tif 000004
【図４】
0003599927.tif 000005
【図５】
0003599927.tif 000006
【図６】
0003599927.tif 000007
【図７】
0003599927.tif 000008
【図８】
0003599927.tif 000009
【図９】
0003599927.tif 000010
【図１０】
0003599927.tif 000011
【図１１】
0003599927.tif 000012
【図１２】
0003599927.tif 000013
【図１３】
0003599927.tif 000014
【図１４】
0003599927.tif 000015
【図１５】
0003599927.tif 000016
【図１６】
0003599927.tif 000017
【図１７】
0003599927.tif 000018
【図１８】
0003599927.tif 000019
【図１９】
0003599927.tif 000020
【図２０】
0003599927.tif 000021
【図２１】
0003599927.tif 000022